(57)【要約】【課題】簡易な着脱を可能とするレンズ鏡筒を提供する。【解決手段】光学系を収容するとともに、第１係合部に対して相対的に移動することにより係脱可能な第２係合部を有する鏡筒本体と、前記鏡筒本体に対して操作可能に配置され、該操作により前記光学系を該光学系の光軸方向に移動させる操作部材と、前記第１係合部と前記第２係合部との相対的な移動を規制する規制手段と、前記操作部材の操作に連動して、前記規制手段による規制を解除する解除手段と、を備えたことを特徴とする。【選択図】図３
2011039321.tif 000002
【特許請求の範囲】
【請求項１】
光学系を収容するとともに、第１係合部に対して相対的に移動することにより係脱可能な第２係合部を有する鏡筒本体と、
前記鏡筒本体に対して操作可能に配置され、該操作により前記光学系を該光学系の光軸方向に移動させる操作部材と、
前記第１係合部と前記第２係合部との相対的な移動を規制する規制手段と、
前記操作部材の操作に連動して、前記規制手段による規制を解除する解除手段と、を備えたことを特徴とするレンズ鏡筒。
【請求項２】
前記解除手段により前記規制を解除する際の前記操作部材の操作方向と、前記第２係合部が前記第１係合部から離脱する際の前記第２係合部の移動方向とが一致していることを特徴とする請求項１に記載のレンズ鏡筒。
【請求項３】
前記規制手段は、前記第２係合部から前記第１係合部へ向けて突出するピンを有し、
前記ピンが前記第１係合部側に形成された挿入部に挿入された状態で、前記第１係合部と前記第２係合部との相対的な移動を規制し、
前記解除手段は、前記操作部材の操作に連動して前記ピンを前記第２係合部内へ格納することにより、前記規制を解除することを特徴とする請求項１又は２に記載のレンズ鏡筒。
【請求項４】
前記解除手段は、
前記操作部材に設けられるとともに、前記ピンの端部が当接する、前記操作部材の操作方向に対して傾斜した斜面と、
前記斜面に対して、前記ピンの端部を付勢する付勢手段と、を備え、
前記操作部材の操作に応じて前記斜面に対する前記ピンの当接位置を変化させることにより、前記ピンを、前記第２係合部内へ格納することを特徴とする請求項３に記載のレンズ鏡筒。
【請求項５】
前記解除手段は、前記操作部材に設けられるとともに、前記ピンが係合する、前記操作部材の操作方向に対して傾斜した溝を有し、
前記操作部材の操作に応じて、前記溝に対する前記ピンの係合位置を変化させることにより、前記ピンを前記第２係合部内へ格納することを特徴とする請求項３に記載のレンズ鏡筒。
【請求項６】
前記操作部材の第１の操作範囲において前記規制手段により前記第１係合部と前記第２係合部との相対移動が規制され、
前記第１の操作範囲とは異なる第２の操作範囲において、前記解除手段により、前記規制手段による規制が解除され、
前記操作部材が、前記第１の操作範囲から前記第２の操作範囲に遷移するのを制限する制限手段を更に備えることを特徴とする請求項１〜５のいずれか一項に記載のレンズ鏡筒。
【請求項７】
前記光学系は複数の光学部品を有し、
前記第１の操作範囲は、前記複数の光学部品の間隔を変更する第３の操作範囲と、該第３の操作範囲と前記第２の操作範囲との間に位置し、前記複数の光学部品の間隔を前記第３の操作範囲における間隔よりも狭める第４の操作範囲と、を有することを特徴とする請求項６に記載のレンズ鏡筒。
【請求項８】
請求項１〜７のいずれか一項に記載のレンズ鏡筒と、
前記第１係合部を有するカメラボディと、を備えたことを特徴とするカメラシステム。
【発明の詳細な説明】
【技術分野】
【０００１】
本発明は、レンズ鏡筒及びカメラシステムに関する。
【背景技術】
【０００２】
沈胴式の交換レンズ鏡筒をカメラボディから取り外す際に、レンズ鏡筒を沈胴状態にしてからバヨネットマウント機構のロックを解除するものが知られている（例えば、特許文献１参照）。
【先行技術文献】
【特許文献】
【０００３】
【特許文献１】特開平１０−２０１７６号公報
【発明の概要】
【発明が解決しようとする課題】
【０００４】
しかしながら、ロック解除ボタンは、通常、カメラボディ側に設けられていることが多く、取り外し時の操作が煩雑であるという問題がある。
【０００５】
本発明はかかる事情の下になされたものであり、簡易な着脱動作を実現可能なレンズ鏡筒を提供することを目的とする。また、本発明は、簡易な操作によりレンズ鏡筒を着脱することが可能なカメラシステムを提供することを目的とする。
【課題を解決するための手段】
【０００６】
本発明は、以下のような解決手段により前記課題を解決する。なお、理解を容易にするために、本発明の一実施例を示す図面に対応する符号を付して説明するが、これに限定されるものではない。
【０００７】
本発明のレンズ鏡筒（３００）は、光学系（１、２）を収容するとともに、第１係合部（２１０）に対して相対的に移動することにより係脱可能な第２係合部（５０）を有する鏡筒本体（３０１）と、前記鏡筒本体に対して操作可能に配置され、該操作により前記光学系を該光学系の光軸方向に移動させる操作部材（１０）と、前記第１係合部と前記第２係合部との相対的な移動を規制する規制手段（６０）と、前記操作部材の操作に連動して、前記規制手段による規制を解除する解除手段（１２、７０）と、を具備する。
【０００８】
上記構成において、前記解除手段により前記規制を解除する際の前記操作部材の操作方向と、前記第２係合部が前記第１係合部から離脱する際の前記第２係合部の移動方向とが一致している構成とすることができる。
【０００９】
上記構成において、前記規制手段は、前記第２係合部から前記第１係合部へ向けて突出するピン（６０）を有し、前記ピンが前記第１係合部側に形成された挿入部（２１１）に挿入された状態で、前記第１係合部と前記第２係合部との相対的な移動を規制し、前記解除手段は、前記操作部材の操作に連動して前記ピンを前記第２係合部内へ格納することにより、前記規制を解除する構成とすることができる。
【００１０】
上記構成において、前記解除手段は、前記操作部材に設けられるとともに、前記ピンの端部が当接する、前記操作部材の操作方向に対して傾斜した斜面（１２）と、前記斜面に対して、前記ピンの端部（６２）を付勢する付勢手段（７０）と、を備え、前記操作部材の操作に応じて前記斜面に対する前記ピンの当接位置を変化させることにより、前記ピンを、前記第２係合部内へ格納する構成とすることができる。
【００１１】
上記構成において、前記解除手段は、前記操作部材に設けられるとともに、前記ピン（５６０）が係合する、前記操作部材の操作方向に対して傾斜した溝（５１９）を有し、前記操作部材の操作に応じて、前記溝に対する前記ピンの係合位置を変化させることにより、前記ピンを前記第２係合部内へ格納する構成とすることができる。
【００１２】
上記構成において、前記操作部材の第１の操作範囲において前記規制手段により前記第１係合部と前記第２係合部との相対移動が規制され、前記第１の操作範囲とは異なる第２の操作範囲において、前記解除手段により、前記規制手段による規制が解除され、前記操作部材が、前記第１の操作範囲から前記第２の操作範囲に遷移するのを制限する制限手段（３０、２３）を更に備える構成とすることができる。
【００１３】
上記構成において、前記光学系は複数の光学部品を有し、前記第１の操作範囲は、前記複数の光学部品の間隔を変更する第３の操作範囲と、該第３の操作範囲と前記第２の操作範囲との間に位置し、前記複数の光学部品の間隔を前記第３の操作範囲における間隔よりも狭める第４の操作範囲と、を有する構成とすることができる。
【００１４】
本発明のカメラシステム（１００）は、上記構成のレンズ鏡筒（３００）と、前記第１係合部を有するカメラボディ（２００）と、を具備する。
【発明の効果】
【００１５】
本発明のレンズ鏡筒は、簡易な着脱操作を実現できるという効果を奏する。また、本発明のカメラシステムは、簡易な操作によりレンズ鏡筒を着脱することができるという効果を奏する。
【図面の簡単な説明】
【００１６】
【図１】実施例１のカメラシステムを示した概略構成図である。
【図２】実施例１のカメラシステムのレンズ鏡筒の鏡筒長が変化した状態を示した説明図である。（ａ）は、レンズがテレ（望遠）位置にある状態を示し、（ｂ）は、レンズがワイド（広角）位置にある状態を示し、（ｃ）は、レンズ鏡筒が沈胴した状態を示している。
【図３】実施例１のズームリング、及び固定筒を平面上に展開した説明図である。（ａ）は、ズームリング及び固定筒の外装を示し、（ｂ）はズームリング及び固定筒の内部の構造を示し、（ｃ）は、（ａ）、（ｂ）におけるＡ−Ａ断面を示している。
【図４】実施例１のズームリングの外装部の展開図とスイッチと回転制限バーの位置を示した説明図である。（ａ）はレンズが最も広角したときの状態を示し、（ｂ）は沈胴完了時における状態を示し、（ｃ）はレンズマウントをカメラマウントから取り外し可能な場合の状態を示している。
【図５】実施例１のズームリング及び固定筒の内部の構造を示した説明図である。（ａ）はレンズが最も広角したときの状態を示し、（ｂ）は沈胴完了時における状態を示し、（ｃ）はレンズマウントをカメラマウントから取り外し可能な場合の状態を示している。
【図６】実施例１の板ばねとその周囲を拡大して示した説明図である。
【図７】図５（ｃ）の回転制限バーとその周囲を拡大して示した説明図である。（ａ）は、回転制限バーのカメラボディ側の端部が溝に収まった状態を示し、（ｂ）は、スイッチの操作に連動して、回転制限バーのカメラボディ側の端部が溝から抜け出た状態を示している。
【図８】実施例２のカメラシステムを示した概略構成図である。
【図９】実施例２のズームリング、及び固定筒を平面上に展開した説明図である。（ａ）は、ズームリング及び固定筒の外装を示し、（ｂ）はズームリング及び固定筒の内部の構造を示し、（ｃ）は、（ａ）、（ｂ）におけるＦ−Ｆ断面を示している。
【図１０】実施例２のズームリング及び固定筒の内部の構造を示した説明図である。（ａ）はレンズが最も広角したときの状態を示し、（ｂ）は沈胴完了時における状態を示し、（ｃ）はレンズマウントをカメラマウントから取り外し可能な場合の状態を示している。
【発明を実施するための形態】
【００１７】
以下、本発明を実施するための形態を図面と共に詳細に説明する。
【実施例１】
【００１８】
実施例１に係るカメラシステム１００について図面を参照しつつ説明する。図１は、カメラシステム１００を示した概略構成図である。
【００１９】
カメラシステム１００は、カメラボディ２００と、レンズ鏡筒３００とを備えている。カメラボディ２００は、筐体、及び筐体内に収容された各種光学系、撮像素子、シャッタ等を有している。カメラボディ２００の筐体の一部には、カメラマウント２１０が設けられている。このカメラマウント２１０には、レンズ鏡筒３００が有するレンズマウント５０が係合可能となっている。カメラマウント２１０とレンズマウント５０は、バヨネット式のマウントである。このため、レンズマウント５０とカメラマウント２１０とが相対的に回転することにより、レンズマウント５０とカメラマウント２１０とが係合し、あるいは離脱する。
【００２０】
レンズ鏡筒３００は、第１レンズ群１と第２レンズ群２を収容し、一部に前述したレンズマウント５０を有する鏡筒本体３０１と、鏡筒本体３０１の一部に組み込まれたズームリング１０と、を備えている。鏡筒本体３０１は、固定筒２０と、カム筒８０とを有している。固定筒２０とカム筒８０とは、カム溝やカムフォロア等を介して係合している。第１レンズ群１は、レンズ保持部材１０２により保持され、第２レンズ群２は、レンズ保持部材１０４により保持されている。これらレンズ保持部材１０２、１０４は、カム筒８０に対してカム溝やカムフォロア等を介して係合している。
【００２１】
ズームリング１０は、固定筒２０に対して第１、第２レンズ群１，２の光軸Ｌ回りに回転可能に組み付けられている。ズームリング１０が回転動作すると、これに連動してカム筒８０が回転するとともに、光軸Ｌ方向に直進移動する。本実施例１では、ズームリング１０の回転に伴うカム筒８０の回転及び直進移動により、第１レンズ群１、及び第２レンズ群２が光軸Ｌ方向に直進移動するようになっている。
【００２２】
図２（ａ）〜図２（ｃ）には、レンズ鏡筒３００の第１レンズ群１及び第２レンズ群２の移動状態が示されている。図２（ａ）は、レンズ群１，２がテレ（望遠）位置にある状態を示し、図２（ｂ）は、レンズ群１，２がワイド（広角）位置にある状態を示し、図２（ｃ）は、レンズ鏡筒３００が沈胴した状態を示している。なお、沈胴した状態とは、レンズ鏡筒３００の全長を最も短くして、コンパクトに収納できるような状態を意味する。一般的に、沈胴した状態では、レンズ鏡筒３００を用いた撮影はできないこととされている。ズームリング１０を所定方向へ回転すると、レンズ鏡筒３００の鏡筒長が図２（ａ）→図２（ｂ）→図２（ｃ）のように短縮し、これとは逆に回転すると、レンズ鏡筒３００の鏡筒長が図２（ｃ）→図２（ｂ）→図２（ａ）のように伸長する。
【００２３】
図１に戻り、レンズマウント５０には、着脱ピン６０が組みつけられている。着脱ピン６０は、レンズマウント５０がカメラマウント２１０に係合した状態、すなわち、レンズ鏡筒３００がカメラボディ２００に装着された状態において、カメラマウント２１０とレンズマウント５０との相対的な回転を規制するものである。なお、着脱ピン６０の詳細については、後に詳述する。
【００２４】
次に、ズームリング１０、固定筒２０について詳細に説明する。図３（ａ）は、ズームリング１０と固定筒２０の、図１における矢印Ｇ部分近傍を平面上に展開した状態を示す図である。また、図３（ｂ）は、ズームリング１０及び固定筒２０の図１における矢印Ｈ部分近傍の内部構造を示す図である。更に、図３（ｃ）は、図３（ａ）、図３（ｂ）におけるＡ−Ａ線断面図である。図３（ａ）〜図３（ｃ）のいずれも、紙面の上下方向が図１における光軸Ｌ方向であって、紙面の上側が被写体側であり、紙面の下側がカメラボディ２００側である。なお、図３（ａ）〜図３（ｃ）は、望遠時（テレ）の状態であって、レンズ鏡筒３００の長さが最大となった図２（ａ）の状態に対応している。
【００２５】
図３（ａ）に示すように、ズームリング１０の表面には、Ｔ（テレ）、Ｗ（ワイド）、Ｓ（ショートニング）、Ａ（アタッチ）の文字が表示されている。一方、固定筒２０にはマーク２０ａが表示されている。すなわち、ズームリング１０が回転すると、マーク２０ａとＴ〜Ａの文字の位置関係が変動する。そして、マーク２０ａと光軸Ｌ方向に関して隣接している文字が、レンズ鏡筒３００の動作状態を表すことになる。
【００２６】
ズームリング１０には、図３（ａ）に示すように、スイッチ９０が設けられている。スイッチ９０は、光軸Ｌ方向に移動可能となっており、その位置を変更することにより、「ＺＯＯＭ」、「ＳＨＯＲＴＥＮＩＮＧ」、「ＡＴＴＡＣＨ」のいずれかのモードをユーザが選択できる構成となっている。
【００２７】
スイッチ９０には、図３（ｃ）に示すように、連結部材９３を介して、回転制限バー３０が接続されている。また、スイッチ９０には、板ばね９１が一体的に設けられている。回転制限バー３０は、図３（ｂ）に示すように、ズームリング１０から固定筒２０側に突出した状態となっている。この回転制限バー３０とズームリング１０との間には、回転制限バー３０を図３（ｃ）の紙面下側方向に付勢する力を常時付与するばね４０が設けられている。板ばね９１は、図３（ｃ）に示すように、略Ｖ字状に折り曲げ形成された接点部９２を有する。この接点部９２は、ズームリング１０の一部に設けられた突起部１５、１６、１７、１８それぞれの間に組み合うように構成されている。ここで、回転制限バー３０をカメラボディ２００側へ付勢するばね４０の復元力Ｆ１と、板ばね９１の接点部９２と突起部１５〜１８との摩擦力Ｆ２との間には、常に、
Ｆ１＞Ｆ２      …（１）
の関係が成り立つようになっている。このため、ユーザがスイッチ９０を操作しない限り、スイッチ９０は移動しないことになる。また、これら突起部１５〜１８と板ばね９１とが組み合うことにより、スイッチ９０を段階的にかつ適度なクリック感で移動させることができるようになっている。ここで、例えば、スイッチ９０が、図４（ａ）に示すように、「ＺＯＯＭ」に設定されている場合、板ばね９１の接点部９２は、突起部１５、１６の間に位置し、回転制限バー３０の先端３１の突出量はａとなる。また、スイッチ９０が、図４（ｂ）に示すように、「ＳＨＯＲＴＥＮＩＮＧ」に設定されている場合、板ばね９１の接点部９２は、突起部１６、１７の間に位置し、回転制限バー３０の先端３１の突出量はｂ（＜ａ）となる。更に、スイッチ９０が、図４（ｃ）に示すように、「ＡＴＴＡＣＨ」に設定されている場合、板ばね９１の接点部９２は、突起部１７、１８の間に位置し、回転制限バー３０の先端３１の突出量はｃ（＜ｂ）となる。なお、図３（ｂ）に示すように、スイッチ９０や回転制限バー３０はズームリング１０へ組みつけられているため、ズームリング１０の矢示Ｅ方向への回転により、スイッチ９０や回転制限バー３０もズームリング１０と一体で矢示Ｅ方向へ移動することになる。
【００２８】
図３（ｂ）に戻り、固定筒２０の一部には、回転制限バー３０と接触する凹凸部２９が設けられている。この凹凸部２９は、制限端２１、２２、２３、２４を有する。これら制限端２１〜２４のうち、制限端２１、２２は、回転制限バー３０の突出量がａのとき（図４（ａ）参照）に回転制限バー３０と接触する面であり、制限端２３は、回転制限バー３０の突出量がｂのとき（図４（ｂ）参照）に回転制限バー３０と接触する面である。また、制限端２４は、回転制限バー３０の突出量がｃのとき（図４（ｃ）参照）に回転制限バー３０と接触する面である。
【００２９】
すなわち、スイッチ９０が「ＺＯＯＭ」に設定されているときには、制限端２１、２２間を回転制限バー３０が移動する範囲で、ズームリング１０を回転することができる。この場合、ズームリング１０の回転領域は、図４（ａ）に示す、マーク２０ａと文字Ｔが一致する位置から、マーク２０ａと文字Ｗが一致する位置までの領域αである。また、スイッチ９０が「ＳＨＯＲＴＥＮＩＮＧ」に設定されているときには、回転制限バー３０が制限端２３と接触するまでの範囲で、ズームリング１０を回転することができる。この場合、ズームリング１０の回転領域は、図４（ｂ）に示す、マーク２０ａと文字Ｗが一致する位置から、マーク２０ａと文字Ｓが一致する位置までの領域βである。更に、スイッチ９０が「ＡＴＴＡＣＨ」に設定されているときには、回転制限バー３０が制限端２４と接触するまでの範囲で、ズームリング１０を回転することができる。この場合、ズームリング１０の回転領域は、図４（ｃ）に示す、マーク２０ａと文字Ｓが一致する位置から、マーク２０ａと文字Ａが一致する位置までの領域γである。なお、図３（ｂ）に示すように、凹凸部２９は、制限端２３を壁面の一部とするロック溝２５、及び制限端２４を壁面の一部とするロック溝２６を有している。
【００３０】
前述したレンズマウント５０に組みつけられた着脱ピン６０は、図３（ｂ）に示すように、レンズマウント５０とカメラマウント２１０とが係合した状態、すなわちレンズ鏡筒３００がカメラボディ２００に装着された状態で、カメラマウント２１０の係合孔２１１に挿入される。この挿入状態では、バヨネット式のマウント（レンズマウント５０とカメラマウント２１０）の相対的な回転、すなわち、レンズ鏡筒３００の取り外しが規制される。なお、図３（ｂ）では、着脱ピン６０のうち、係合孔２１１に挿入されている側の端部が、端部６１とされ、端部６１とは反対側の端部が端部６２とされている。この着脱ピン６０は、レンズマウント５０に設けられた突出部５０ａに形成された貫通孔５０ｂを貫通した状態で、レンズマウント５０に保持されている。このため、着脱ピン６０は、図３（ｂ）の紙面上下方向への平行移動が可能とされている。この着脱ピン６０とレンズマウント５０（突出部５０ａ）との間には、着脱ピン６０を図３（ｂ）の紙面上側に常時付勢する付勢力を発生するばね７０が設けられている。このため、着脱ピン６０の端部６２は、ズームリング１０が有する当接面１１又は斜面１２に対して常時当接する。
【００３１】
次に、本実施例のレンズ鏡筒３００の一連の動作について、図３〜図７に基づいて説明する。図３（ａ）に示すように、スイッチ９０が「ＺＯＯＭ」に設定され、最も望遠側の状態（マーク２０ａと文字Ｔが一致した状態）では、図３（ｂ）に示すように、回転制限バー３０は、制限端２１に接触した状態となっており、着脱ピン６０は、係合孔２１１に挿入された状態となっている。この状態では、レンズ鏡筒３００とカメラボディ２００との間が固定されて回転不可能となっており、レンズ鏡筒３００の取り外しが不可能な状態となっている。
【００３２】
この図３（ｂ）の状態からは、図４（ａ）、図５（ａ）に示すように、最も広角側の状態（マーク２０ａと文字Ｗが一致した状態）となるまでは、ズームリング１０を矢示Ｅ方向に回転することができる。この間、レンズ鏡筒は、図２（ａ）から図２（ｂ）の状態に移行する。また、図５（ａ）の状態では、回転制限バー３０は、制限端２２に接触する。これにより、ズームリング１０の矢示Ｅ方向への回転が規制される。なお、ズームリング１０は、図５（ａ）の状態からは、矢示Ｅ方向とは反対方向への回転のみ可能である。この矢示Ｅ方向とは反対方向への回転を行うと、レンズ鏡筒３００は図２（ｂ）から図２（ａ）の状態に移行する（ズーミングする）。
【００３３】
図４（ａ）、図５（ａ）の状態から、スイッチ９０を図４（ｂ）に示すように「ＳＨＯＲＴＥＮＩＮＧ」に設定すると、図４（ｂ）のＣ−Ｃ断面に示すように回転制限バー３０の突出量がｂとなる。この場合、図５（ａ）において接触していた回転制限バー３０と制限端２２との接触を回避することができるようになる。したがって、ズームリング１０は、矢示Ｅ方向に更に回転できるようになる。この場合、図４（ｂ）に示すように、マーク２０ａと文字Ｓとが一致する位置まで、ズームリング１０を回転することができる。なお、図４（ｂ）の位置までズームリング１０を回転した場合、図５（ｂ）に示すように、回転制限バー３０が制限端２３に接触した状態となる。このように回転制限バー３０が制限端２２よりも矢示Ｅ方向へ移動するときには、レンズ鏡筒３００は、図２（ｂ）の状態から、図２（ｃ）の状態となる。すなわち、レンズ鏡筒３００が沈胴する。ここで、図５（ｂ）に示すように、回転制限バー３０が制限端２３へ達すると、その先端３１がロック溝２５に収まる。これにより、スイッチ９０を操作しない限りは、ズームリング１０の回転は規制され、図２（ｃ）の沈胴状態が維持される。なお、この図５（ｂ）の状態でも、着脱ピン６０はカメラマウント２１０の係合孔２１１に挿入されているため、レンズ鏡筒３００をカメラボディ２００から取り外すことはできない。
【００３４】
図４（ｂ）、図５（ｂ）の状態から、スイッチ９０を図４（ｃ）に示すように「ＡＴＴＡＣＨ」に設定すると、図４（ｃ）のＤ−Ｄ断面に示すように回転制限バー３０の突出量がｃとなる。この場合、図５（ｂ）において接触していた回転制限バー３０と制限端２３との接触を回避することができるようになる。したがって、ズームリング１０は、矢示Ｅ方向に更に回転できるようになる。この場合、図４（ｃ）に示すように、マーク２０ａと文字Ａとが一致する位置まで、ズームリング１０を回転することができる。なお、図４（ｃ）の位置までズームリング１０を回転した場合、図５（ｃ）に示すように、回転制限バー３０が制限端２４に接触した状態となる。このように回転制限バー３０が制限端２３と２４の間を移動している間は、図５（ｃ）に示すように、着脱ピン６０は、ばね７０の付勢力により端部６２を斜面１２に沿わせて、図５（ｃ）の紙面上側に移動する。また、回転制限バー３０が制限端２４と接触したときには、着脱ピン６０の端部６１は、カメラマウント２１０の係合孔２１１から抜け出る。これにより、着脱ピン６０がレンズマウント５０内へ格納される。このように着脱ピン６０が係合孔２１１から抜けると、カメラマウント２１０に対して、レンズマウント５０を回転させることができるため、レンズ鏡筒３００をカメラボディ２００から取り外すことができるようになる。
【００３５】
ここで、本実施例では、カメラマウント２１０からレンズマウント５０を離脱する際のレンズマウント５０の回転方向を、ズームリング１０の回転方向（矢示Ｅ方向）と一致させている。これにより、ズームリング１０を着脱領域へ回転させる操作と、レンズ鏡筒３００をカメラボディ２００から取り外す操作とを一方向への回転の継続により行うことができるため、レンズ鏡筒３００の取り外しの操作をスムーズに行うことができる。なお、図５（ｃ）に示すように、回転制限バー３０が制限端２４に接触する位置へ達すると、その先端３１がロック溝２６へ収まる。これにより、スイッチ９０を操作しない限り、ズームリング１０を回転することができない。このため、レンズ鏡筒３００の着脱時における、ズームリング１０の回転が防止され、レンズ鏡筒３００の伸長が抑制される。
【００３６】
ここで、図６に示すように、接点部９２が、突起部１６、１７間に位置する場合（スイッチ９０が「ＳＨＯＲＴＮＥＩＮＧ」に設定された場合）、接点部９２と突起部１７との間には隙間ｄ１が形成されるようになっている。また、接点部９２が、突起部１７、１８間に位置する場合（スイッチ９０が「ＡＴＴＡＣＨ」に設定された場合）、接点部９２と突起部１８との間には、隙間ｄ２が形成されるようになっている。したがって、スイッチ９０が、「ＳＨＯＲＴＮＥＩＮＧ」又は「ＡＴＴＡＣＨ」に設定されている場合でも、これら隙間ｄ１、ｄ２の存在により、当該スイッチ９０をわずかに紙面上方に押し込むことが可能である。この場合、例えば、回転制限バー３０の先端（図７（ａ）の紙面下側の端部）３１が、図７（ａ）に示すようにロック溝２６に嵌まりこんでいる場合でも、スイッチ９０をわずかに押し込むことで、回転制限バー３０を、図７（ｂ）に示すように、紙面上側へ距離ｘだけ移動させることができる。したがって、回転制限バー３０を距離ｘだけ移動させた状態で、矢示Ｅ方向とは反対方向にズームリング１０を回転することで、回転制限バー３０とロック溝２６との係合を解除することが可能となる。なお、回転制限バー３０の先端３１がロック溝２５に収まっている場合も、上記と同様にスイッチ９０を操作する（押し込む）ことにより、回転制限バー３０とロック溝２５との係合を解除することができる。
【００３７】
以上説明した動作により、レンズ鏡筒３００を利用した撮影、レンズ鏡筒３００の沈胴、並びにレンズ鏡筒３００の取り外しを行うことができる。なお、レンズ鏡筒３００をカメラボディ２００に装着する場合には、上述した動作とは逆の動作を行えば良い。
【００３８】
以上詳細に説明したように、本実施例のレンズ鏡筒３００は、第１レンズ群１、第２レンズ群２を収容するとともに、カメラマウント２１０に対して相対的に移動することにより係脱可能なレンズマウント５０を有する鏡筒本体３０１と、鏡筒本体３０１に対して回転操作可能に配置され、その操作により第１レンズ群１、第２レンズ群２をその光軸方向に移動させるズームリング１０と、カメラマウント２１０とレンズマウント５０との相対的な移動を規制する着脱ピン６０と、ズームリング１０の操作に連動して、着脱ピン６０による規制を解除するばね７０、斜面１２とを具備する。これにより、ズームリング１０を回転操作するという簡易な操作で、着脱ピン６０によるレンズマウント５０とカメラマウント２１０との相対的な移動の規制が解除でき、レンズ鏡筒３００の着脱を容易に行うことができる。
【００３９】
さらに、本実施例では、着脱ピン６０によるレンズマウント５０とカメラマウント２１０との相対的な移動の規制を解除するズームリング１０の操作方向（矢示Ｅ方向）と、レンズマウント５０をカメラマウント２１０から離脱する際のレンズマウント５０の回転方向とが一致している。これにより、レンズ鏡筒３００を沈胴させるためのズームリング１０の回転操作と、着脱ピン６０とカメラマウント２１０の係合孔２１１との係合を解除するためのズームリング１０の回転操作、及びバヨネット式のマウントを用いて、レンズ鏡筒３００をカメラボディ２００から取り外す際の回転操作とを、一方向への回転の継続により行うことができる。これにより、操作性を向上することが可能である。
【００４０】
さらに、レンズ鏡筒３００は、回転制限バー３０と固定筒２０に形成された凹凸部２９（制限端２１、２２、２３、２４）を備え、ズームリング１０の回転を適切に制限するので、ズーミング、沈胴、着脱のそれぞれの機能が同時に行われるのを防止することができる。これにより、着脱時にレンズ鏡筒３００の鏡筒長が伸長するような動作や、鏡筒長が沈胴していない状態でレンズ鏡筒３００がカメラボディ２００から取り外されるような動作が行われるのを防止することができる。
【００４１】
また、本実施例では、カメラシステム１００が、上述した簡易な着脱が可能なレンズ鏡筒３００を備えているので、レンズ鏡筒を着脱可能なカメラシステムを初めて使用するようなユーザにであっても直感的な操作により、レンズ鏡筒を着脱することが可能である。また、着脱、沈胴、ズーミングの選択を一つのスイッチ９０で選択するため、レンズ鏡筒３００におけるスペースの節約が図られているとともに、誤ったボタンの選択を防ぎ、誤操作を防止することができる。
【実施例２】
【００４２】
次に、実施例２について説明する。図８は実施例２のカメラシステムを示した概略構成図である。本実施例２は、前述した実施例１で採用していた着脱ピン６０に代えて、図８の全体図に示すように、着脱ピン５６０を採用した点が異なっている。また、図９は、実施例２のズームリング、及び固定筒を平面上に展開した説明図である。図９（ａ）は、ズームリング及び固定筒の外装を示し、図９（ｂ）はズームリング及び固定筒の内部の構造を示し、図９（ｃ）は、（ａ）、（ｂ）におけるＦ−Ｆ断面を示している。以下、実施例１との相違点を中心に、本実施例２について説明するものとする。
【００４３】
レンズ鏡筒５００は、図８に示すように、鏡筒本体３０１と、ズームリング５１０とを備えている。ズームリング５１０には、図８における矢印Ｈ部分近傍の内部構造を示す図９（ｂ）に示すように、係合溝５１９が形成されている。係合溝５１９は、ズームリング５１０の回転方向と一致する方向に延びる平行部５１１と、ズームリング５１０の回転方向に対して傾斜した傾斜部５１２とを有する。
【００４４】
この係合溝５１９には、着脱ピン５６０の端部（図９（ｂ）の紙面上側の端部）に設けられた係合ピン５６２が係合している。ここで、着脱ピン５６０は、レンズマウント５０に設けられた突出部５０ａに形成された貫通孔５０ｂを貫通した状態で、レンズマウント５０により保持されている。このため、着脱ピン５６０は、図９（ｂ）の紙面上下方向にのみ移動可能となっている。着脱ピン５６０のカメラボディ２００側の端部（紙面下側の端部）５６１は、カメラマウント２１０の係合孔２１１に挿入されている。その他の構成は、実施例１のレンズ鏡筒３００と同一である。
【００４５】
図１０（ａ）〜図１０（ｃ）は、実施例１の図５（ａ）〜図５（ｃ）に対応した図である。これらのうち、図１０（ａ）、図１０（ｂ）に示すように、ズームリング５１０が、領域α及び領域β内を回転している間は、着脱ピン５６０の係合ピン５６２は、係合溝５１９の平行部５１１に沿って相対移動する。ただし、この図１０（ａ）、図１０（ｂ）の間は、着脱ピン５６０は紙面上下方向には移動せず、着脱ピン５６０の端部５６１は、係合孔２１１に挿入され続ける。
【００４６】
一方、図１０（ｃ）に示すように、ズームリング５１０が、領域γ内を回転する間は、係合ピン５６２は係合溝５１９の傾斜部５１２に沿って移動する。この場合、着脱ピン５６０の移動は、貫通孔５０ｂによって紙面上下方向にのみ制限されているので、着脱ピン５６０は、紙面上方に平行移動する。これにより、着脱ピン５６０の端部５６１は、係合孔２１１から抜け出る。これにより、着脱ピン５６０がレンズマウント５０内へ格納される。このように着脱ピン５６０が係合孔２１１から抜けると、バヨネット式のマウント（レンズマウント５０とカメラマウント２１０）を回転することができるので、レンズ鏡筒３００をカメラボディ２００から取り外すことができる。
【００４７】
以上、説明したように、本実施例２によると、上述した実施例１と同様の効果を得ることができる。
【００４８】
なお、上記各実施例では、レンズマウント５０とカメラマウント２１０の回転を規制する部材として、着脱ピン６０、５６０を採用した場合について説明したが、これに限らず、例えば、カメラマウント２１０に形成した係合部などと係合するフック状又はその他の形状の部材などを採用することもできる。また、回転を規制する部材を解除する機構として、上記実施例では、斜面１２や、係合溝５１９を採用したが、これに限らず、その他の機構、例えば、ズームリングの回転と連動して、着脱ピン６０やフック状の部材などを傾倒させる機構などを採用しても良い。なお、レンズ鏡筒３００、５００は、上記各実施例のようにカメラボディ２００に装着する場合に限らず、その他の光学装置に装着することとしても良い。
【００４９】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００５０】
１００          カメラシステム
２００          カメラボディ
２１０          カメラマウント
２１１          係合孔
３００          レンズ鏡筒
３０１          鏡筒本体
１              第１レンズ群
２              第２レンズ群
１０            ズームリング
１２            斜面
３０            回転制限バー
５０            レンズマウント
６０、５６０    着脱ピン
６２            端部
７０            ばね
５１９          係合溝
【図１】
2011039321.tif 000003
【図２】
2011039321.tif 000004
【図３】
2011039321.tif 000005
【図４】
2011039321.tif 000006
【図５】
2011039321.tif 000007
【図６】
2011039321.tif 000008
【図７】
2011039321.tif 000009
【図８】
2011039321.tif 000010
【図９】
2011039321.tif 000011
【図１０】
2011039321.tif 000012